(57)【要約】      （修正有）【課題】ポンプ付き消毒器のノズルから噴出される消毒薬が使用者の衣服や靴にかかってしまうことを未然に防止できる足踏み式消毒薬噴出装置を提供する。【解決手段】ノズルヘッドＢｈを押圧することで容器内の消毒薬をノズル先端から噴出する薬剤噴射ボトルＢを載置するボトル受け皿１と、ノズルヘッドＢｈに当接して該ノズルヘッドを押し込む押圧部材２と、押圧部材２を上下動させるための足踏みペダル３と、足踏みペダル３の踏み込み力を押圧部材２に伝達する操作伝達部材４とを備えた足踏み式消毒薬噴出装置Ｄであって、ボトル受け皿１は、ノズル先端から消毒薬が噴出される方向を足踏みペダル３側またはその近傍とは異なる方向へ変位可能に取り付けられている。【選択図】図１
0003230172.tif 000002
【実用新案登録請求の範囲】
【請求項１】
ノズルヘッドを押圧することで容器内の消毒薬をノズル先端から噴出する薬剤噴射ボトルを載置するボトル受け皿と、前記ノズルヘッドに当接して該ノズルヘッドを押し込む押圧部材と、前記押圧部材を上下動させるための足踏みペダルと、前記足踏みペダルの踏み込み力を前記押圧部材に伝達する操作伝達部材とを備えた足踏み式消毒薬噴出装置であって、
前記ボトル受け皿は、前記ノズル先端から消毒薬が噴出される方向を前記足踏みペダル側またはその近傍とは異なる方向へ変位可能に取り付けられていることを特徴とする足踏み式消毒薬噴出装置。
【請求項２】
前記足踏みペダルの周囲に配置された基台と、前記基台から立設され前記操作伝達部材の一部を内蔵する支柱と、前記支柱に対して水平方向に延出するように取付けられて前記ボトル受け皿を支持する支持部材とを有し、前記ボトル受け皿または前記支持部材の少なくともいずれか一方に永久磁石が固定され、前記ボトル受け皿は前記永久磁石の磁力によって着脱自在に取り付けられていることを特徴とする請求項１に記載の足踏み式消毒薬噴出装置。
【請求項３】
前記薬剤噴射ボトルを前記ボトル受け皿に載置したとき、前記押圧部材が前記ノズルヘッドを予め５〜１０ｍｍ押し込むように高さ調整されていることを特徴とする請求項１または２に記載の足踏み式消毒薬噴出装置。
【請求項４】
前記基台、前記支柱、前記支持部材、前記ボトル受け皿および前記足踏みペダルのうち、１つ以上の部材が銅材からなることを特徴とする請求項１〜３のいずれか１項に記載の足踏み式消毒薬噴出装置。
【考案の詳細な説明】
【技術分野】
【０００１】  本考案は、手指を消毒する消毒薬が入ったポンプ付き消毒器を操作するための足踏み式消毒薬噴出装置に関するものである。
【背景技術】
【０００２】  エタノールや次亜塩素酸水などの消毒薬が入った容器本体と、その容器本体の上部に上下動可能に装着されると共に常には上動方向に付勢され、その付勢に抗して下動させたとき噴出ノズルから消毒薬を吹き出すポンプヘッドと、を有するポンプ付き消毒器が市販されている。このポンプ付き消毒器は、施設内に病原菌を持ち込ませないようにすることを目的として公共施設や小売店の出入口等に設置されており、人が施設内に入る前に手指が消毒できるようになっている。【０００３】  しかしながら、このようなポンプ付き消毒器は、ポンプヘッドを片手で押してノズルから消毒薬を噴出させるようになっているため、ポンプヘッドは不特定多数の人が消毒前の手で触れていることから病原菌が付着している可能性がある。そのような問題を解決するべく、特許文献１に記載のようなポンプ付き消毒器のポンプヘッドを足踏みペダルで操作するようにした消毒剤噴出装置が知られている。
【先行技術文献】
【特許文献】
【０００４】
【特許文献１】実用新案登録第３１５７０７４号公報
【考案の概要】
【考案が解決しようとする課題】
【０００５】  足踏みペダルを押すことでポンプ付き消毒器のポンプヘッドを操作するように構成された消毒剤噴出装置は、使用者がポンプヘッドに触れることなく消毒剤を手指に塗布することができるので、安心して消毒行為を行うことができる。
しかしながら、従来の装置は、ノズルから消毒剤が噴出される方向が直下の足踏みペダルの方向またはその近傍を向いているため、手指に塗布されなかった消毒剤が使用者の衣服や靴にかかってしまうことがしばしばあった。さらに、ペダルを踏むことでノズルヘッドを最上点から最下点まで一気に押し下げるので、必要以上の量の消毒液が勢いよく噴出され、周囲に飛散する問題もあった。【０００６】  そこで、本考案の課題は、ポンプ付き消毒器のノズルから噴出される消毒薬が使用者の衣服や靴にかかってしまうことを未然に防止できる足踏み式消毒薬噴出装置を提供することにある。また、消毒液の噴出量を適正化して過剰な消毒液が噴出されないように構成された足踏み式消毒薬噴出装置を提供することにある。
【課題を解決するための手段】
【０００７】  上記の課題を解決するため、本考案の足踏み式消毒薬噴出装置は、ノズルヘッドを押圧することで容器内の消毒薬をノズル先端から噴出する薬剤噴射ボトルを載置するボトル受け皿と、ノズルヘッドに当接して該ノズルヘッドを押し込む押圧部材と、押圧部材を上下動させるための足踏みペダルと、足踏みペダルの踏み込み力を押圧部材に伝達する操作伝達部材とを備えた足踏み式消毒薬噴出装置であって、ボトル受け皿は、ノズル先端から消毒薬が噴出される方向を足踏みペダル側またはその近傍とは異なる方向へ変位可能に取り付けられていることを特徴とする。【０００８】  また、上記足踏み式消毒薬噴出装置は、足踏みペダルの周囲に配置された基台と、基台から立設され操作伝達部材の一部を内蔵する支柱と、支柱に対して水平方向に延出するように取付けられてボトル受け皿を支持する支持部材とを有し、ボトル受け皿または前記支持部材の少なくともいずれか一方に永久磁石が固定され、ボトル受け皿は永久磁石の磁力によって着脱自在に取り付けられていることを特徴とする。【０００９】  さらに、上記足踏み式消毒薬噴出装置は、薬剤噴射ボトルをボトル受け皿に載置したとき、押圧部材がノズルヘッドを予め５〜１０ｍｍ押し込むように高さ調整されていることを特徴とする。【００１０】  さらに、基台、支柱、支持部材、ボトル受け皿および足踏みペダルのうち、１つ以上の部材が銅材からなることを特徴とする。
【考案の効果】
【００１１】  本考案の足踏み式消毒薬噴出装置によれば、ボトル受け皿は、ノズル先端から消毒薬が噴出される方向を足踏みペダル側またはその近傍とは異なる方向へ、変位可能に取り付けられているため、足踏みペダルの真上に薬剤噴射ボトルのノズルが配置されなくなり、ノズルから噴出される消毒薬が使用者の衣服や靴にかかってしまうことを未然に防止できる。また、薬剤噴射ボトルをボトル受け皿に載置したとき、押圧部材がノズルヘッドを予め５〜１０ｍｍ押し込むように高さ調整されているため、使用者が足踏みペダルを一気に踏んだとしても、適量の消毒液が噴出され、過剰な消毒液が噴出されることがなくなる。そのため、当該装置の周囲の清掃作業を軽減できる。
【図面の簡単な説明】
【００１２】
【図１】  本考案の足踏み式消毒薬噴出装置にかかる実施形態を示す全体斜視図である。
【図２】  本考案の足踏み式消毒薬噴出装置にかかる実施形態の上部正面図である。
【図３】  本考案の足踏み式消毒薬噴出装置の足踏み操作前における足踏みペダル周辺および操作伝達部材の付勢機構の断面図である。
【図４】  本考案の足踏み式消毒薬噴出装置の足踏み操作中における足踏みペダル周辺および操作伝達部材の付勢機構の断面図である。
【図５】  本考案の足踏み式消毒薬噴出装置にかかる他の実施形態の上部正面図である。
【考案を実施するための形態】
【００１３】  以下、図面を参照しながら、本考案の実施の形態を説明する。
【００１４】  本考案にかかる足踏み式消毒薬噴出装置Ｄ（以下、本装置Ｄという。）は、図１に示すように、薬剤噴射ボトルＢを載置するボトル受け皿１と、薬剤噴射ボトルＢのノズルヘッドＢｈを押し込む押圧部材２と、押圧部材２を上下動させるための足踏みペダル３と、足踏みペダル３の踏み込み力を押圧部材２に伝達する操作伝達部材４とを備えている。また、本装置Ｄは、足踏みペダル３の周囲に配置された基台５と、基台５から立設され操作伝達部材４の一部を内蔵する支柱６と、支柱６に対して水平方向に延出するように取付けられてボトル受け皿１を支持する支持部材７とを備えている。
【００１５】  薬剤噴射ボトルＢは、エタノールや次亜塩素酸水などの消毒薬が入った合成樹脂製の容器本体Ｂｂと、この容器本体Ｂｂの上部に上下動可能に装着されたポンプヘッドＢｈと、ポンプヘッドＢｈから導出され噴出口が下向きになるように屈曲形成された噴出ノズルＢｎとを備えている。このポンプヘッドＢｈは、内蔵するバネ部材によって上向きに付勢されていて常には上部位置にあり、ポンプヘッドＢｈをその付勢に抗して下動させたとき、容器本体Ｂｂの消毒薬を吸い上げて噴出ノズルＢｎから消毒薬を吹き出す。薬剤噴射ボトルＢとしては市販されているものを利用することができる。
【００１６】  本装置Ｄは、薬剤噴射ボトルＢが大人の腰の高さ程度に配置されるスタンド型の装置であり、揺らぐことなく安定して立設するために地面への接地幅の広い基台５を有する。本実施形態において、基台５は略矩形状を成し、足踏みペダル３が配置される個所には切り欠き部がある。
【００１７】  基台５の中央部には中空構造の支柱６が立設され、その内部には足踏みペダル３の踏み込み力を押圧部材２に伝達する操作伝達部材４が設けられている。本実施形態において、支柱６は、第１の支柱６ａと第２の支柱６ｂおよびこれらを一直線上に結合するソケット６ｃとを備えている。また、ソケット６ｃの内部には操作伝達部材４の付勢機構４ｂが内設されている。本装置Ｄの使用者が足踏みペダル３を踏み込んだとき、この操作伝達部材４と押圧部材３とが連動して薬剤噴射ボトルＢのポンプヘッドＢｈを押圧し、容器本体Ｂｂの中の消毒薬を噴出ノズルＢｎから噴出する。また、使用者が足踏みペダル３から足を離したとき、操作伝達部材４の付勢機構４ｂによって押圧部材２がポンプヘッドＢｈを押圧することを停止し、足踏みペダル３の位置が踏み込み前の位置に復帰する。なお、足踏みペダル３と操作伝達部材４の動作については後述する。
【００１８】  支柱６の中間位置（地面から８０〜１００ｃｍ程度）には、ボトル受け皿１を支持する支持部材７が水平方向に延出するように取付け金具７ａによって取付けられている。支柱６への支持部材７の取付け手段は、取付け金具７ａの他に、ねじ止め、カシメ、溶接などの周知の手段を用いることができる。
【００１９】  支柱６の上端側には、押圧部材２が連結されている。この押圧部材２は、操作伝達部材４の一端に取り付けられてほぼ水平に延出する押さえ金具２ａと、押さえ金具２ａから下向きに取り付けられて薬剤噴射ボトルＢのポンプヘッドＢｈに当接する押圧部２ｂと、押圧部２ｂの取り付け高さを調整することができるように押圧部２ｂを押さえ金具２ａに螺着する調整ネジ２ｃとを備える。調整ネジ２ｃで押圧部２ｂの高さを調整することで、市販されている様々な高さの薬剤噴射ボトルＢに対応することができる。
【００２０】  ボトル受け皿１は、薬剤噴射ボトルＢを置くスペースと噴出ノズルＢｎの直下にタオル等を置くことができるスペースを有して、支持部材７上に載置される。ここで、ボトル受け皿１は、ノズル先端から消毒薬が噴出される方向を足踏みペダル３側またはその近傍とは異なる方向へ変位可能に取り付けられている。また、本実施形態では、図２に示すように、ボトル受け皿１に永久磁石８が固定され、ステンレス等の磁性材料からなる支持部材７に対してボトル受け皿１が永久磁石８の磁力によって着脱自在に支持されている。なお、支持部材７側に永久磁石８を固定してもよいし、ボトル受け皿１と支持部材７の双方に永久磁石８を固定してもよい。また、永久磁石８の代わりに面ファスナーなどを用いて取り付けてもよい。
【００２１】  図１に示す実施形態の場合、使用者は図中左側から本装置Ｄに正対して足踏みペダル３を靴で踏むが、薬剤噴射ボトルＢの噴出ノズルＢｎは使用者の正面側ではなく、使用者の右側（紙面手前側）に延出し、ノズル先端は使用者の右前側を向くことになる。また、図２に示す実施形態の場合、使用者は紙面に正対して、消毒すべき手は図中右側に差し出して、図示しない足踏みペダルを踏んで消毒行為を行う。
本装置Ｄをこのような構成にすることで、ノズルＢｎから噴出される消毒薬が使用者の衣服や靴にかかってしまうことを未然に防止することができる。
【００２２】  次に、図３および図４に基づいて、足踏みペダル３と操作伝達部材４の動作について説明する。図３（Ａ）は足踏みペダル３を踏む前の足踏みペダル周辺の断面図であり、図３（Ｂ）はそのときの操作伝達部材４の付勢機構４ｂの拡大断面図である。図４（Ａ）は足踏みペダル３を踏み込んだときの足踏みペダル周辺の断面図であり、図４（Ｂ）はそのときの操作伝達部材４の付勢機構４ｂの拡大断面図である。
【００２３】  図３（Ａ）において、足踏みペダル３は連結部材３ａを介して作動プレート３ｂの一端側に連結されており、作動プレート３ｂの他端側には操作伝達部材４を構成する棒状部材４ａが結合されている。この棒状部材４ａは、例えば全ネジボルトなどの金属材を用いることができ、中空管状の支柱６の中に挿通される。棒状部材４ａの下端は地面Ｇから数センチ離間しており、足踏みペダル３による踏み代Ｓを残してある。ここで、足踏みペダル３を使用者が踏むと、作動プレート３ｂが押し下げられると共に、棒状部材４ａも踏み代Ｓの範囲内で下方に下がるように構成されている。
【００２４】  図３（Ｂ）に示すように、付勢機構４ｂは、上部固定ナット４１、上部ワッシャ４２、下部ワッシャ４３、下部固定ナット４４および上下のワッシャ間に挟持されるコイルバネ４５を有する。また、この付勢機構４ｂは、支柱６ａ、６ｂを連結するソケット６ｃの内部に配設されている。上部固定ナット４１および下部固定ナット４４は、所定の間隔を置いて棒状部材４ａに螺合されている。上部ワッシャ４２および下部ワッシャ４３は、内径が棒状部材４ａの直径より大きく、外径が支柱６ａ、６ｂの内径より大きくかつ支柱６ａ、６ｂの外径より小さい。そして、コイルバネ４５は常に上下のワッシャ４２、４３に圧接しているが、支柱６ａ、６ｂの端面がストッパの機能を果たすため、上下のワッシャ４２、４３の間の範囲内で伸縮する。なお、図３（Ｂ）に示す状態は足踏みペダル３を踏み込んでいないときの状態であり、コイルバネ４５の伸び力により、支柱６は踏み代Ｓの分だけ地上Ｇから離間している。
【００２５】  つぎに、図４（Ａ）に示すように、足踏みペダル３を踏み込むと、連結部材３ａを介して作動プレート３ｂが押し下げられ、これに連動して作動プレート３ｂの他端側に結合されている棒状部材４ａも下方に下がり、最下点が地面Ｇに突き当たる。
【００２６】  図４（Ｂ）に示すように、足踏みペダル３を踏み込んだ状態において、付勢機構４ｂのコイルバネ４５は、上部ワッシャ４２により押し下げられると共に、下部ワッシャ４３の降下が第２の支柱６の端面で規制されているため、反力（伸びる力）に抗して圧縮される。そして、足踏みペダル３を踏み込むことにより、棒状部材４ａが降下すると同時に、押圧部材２（図１参照）が下がり、薬剤噴射ボトルＢのポンプヘッドＢｈを押し下げてノズル先端から薬剤が噴出される。使用者が足踏みペダル３から足を離すと、コイルバネ４５の反力により、棒状部材４ａや足踏みペダル３などが図３（Ａ）の位置（初期位置）に復帰する。
【００２７】  以上のような構成および動作により、本装置Ｄは、足踏みペダル３を踏み込むことで、操作伝達部材４と押圧部材２が連動して薬剤噴射ボトルＢのポンプヘッドＢｈを押し下げて、ノズル先端から消毒薬が噴出される。そして、足踏みペダル３の踏み込みを解除することで、操作伝達部材４、押圧部材２、足踏みペダル３が初期位置に復帰する。
【００２８】  本装置Ｄによれば、ボトル受け皿１がノズル先端から消毒薬が噴出される方向を足踏みペダル３側またはその近傍とは異なる方向へ変位可能に取り付けられているため、足踏みペダル３の真上に薬剤噴射ボトルＢのノズルＢｎが配置されなくなり、ノズルＢｎから噴出される消毒薬が使用者の衣服や靴にかかってしまうことを未然に防止できる。
【００２９】  ところで、本装置Ｄにかかる実施形態の上部正面図を図２に示したが、この図２において、押圧部材２を構成する押圧部２ｂは薬剤噴射ボトルＢのポンプヘッドＢｈに非接触な状態として例示してある。この実施形態の場合、上述のように足踏みペダル３を踏み込むことで、押圧部２ｂが下がってポンプヘッドＢｈに当接し、さらにポンプヘッドＢｈを押し下げて噴出ノズルＢｎから図示右下方に向けて消毒薬が吐出される。このとき、足踏みペダル３を踏み込むと押圧部２ｂが加速度をもってポンプヘッドＢｈを押圧し、最上点から最下点まで一気に押し下げるので、必要以上の量の消毒液が勢いよく噴出され、周囲に過剰な消毒液が飛散することがある。ただし、本装置Ｄは、過剰な消毒液が飛散したとしても、ボトル受け皿１がノズル先端から消毒薬が噴出される方向を変位可能に取り付けられているため、ノズルから噴出される過剰な消毒薬が使用者の衣服や靴にかかってしまうことを抑止できる。
【００３０】  上記実施形態に替えて、図５に示すように、薬剤噴射ボトルＢをボトル受け皿１に載置したとき、押圧部材２の押圧部２ｂがノズルヘッドＢｈを予め５〜１０ｍｍ押し込むように高さ調整しておくことが望ましい。この押し込み寸法が５ｍｍ未満だと消毒薬が過剰に噴出されるおそれがあり、またこの寸法が１０ｍｍ超だと必要量の消毒薬が噴出されないことがある。このような構成により、使用者が足踏みペダル３を踏み込んだとき押圧部２ｂがスムーズにポンプヘッドＢｈを押圧し、噴出ノズルＢｎから消毒液が勢いよく吐出されることがなく、また適正量の消毒液が出るため、過剰な消毒液が周囲に飛散することを抑止できる。
【００３１】  上記実施形態において、基台５、支柱６、支持部材７、ボトル受け皿１および足踏みペダル３のうち、１つ以上の部材が銅材からなることが望ましい。とりわけ、本装置Ｄの設置場所を変更するときに触る支柱４や、薬剤噴射ボトルＢを入れ替えたり向きを変えたりする際に触るボトル受け皿１を銅材とすることが特に望ましい。銅材は他の金属材料や合成樹脂などと比べて抗菌効果が優れているため、上記部材を銅材で形成することにより、仮にウイルス等が本装置Ｄの構成部品に付着したとしても、短時間でウイルス等を滅菌もしくは不活性化することができるので、本装置Ｄに起因する感染拡大を予防できる。
【００３２】  以上、本考案を実施形態に基づいて説明したが、本考案は上記の実施形態に限定されるものではなく、その趣旨を逸脱しない範囲において実施することが可能である。
【００３３】  例えば、図１および図２に示した実施形態では、ボトル受け皿１の長手方向が足踏みペダル３の長手方向に対して直交し、かつボトル受け皿１の約半分の領域が右側に位置するように、ボトル受け皿１を支持部材７に載置し、薬剤噴射ボトルＢのノズルＢｎも右側を向くようにセットした例を示した。これに対して、逆に、ボトル受け皿１の約半分の領域が左側に位置するようにボトル受け皿１を支持部材７に載置し、薬剤噴射ボトルＢのノズルＢｎも左側を向くようにセットしてよい。
【００３４】  また、上記実施形態において、支持部材７は足踏みペダル３と略平行に、使用者側に延出するように取付け金具７ａによって支柱６に固着されているが、支持部材７の延出する向きを可変できるように取り付けることが望ましい。例えば、支持部材７の延出する向きを左右に９０度変位させてもよいし、１８０度反対側に変位させてもよい。このとき、押圧部材２の押さえ金具２ａも同じ回転角だけ変位させる。なお、支持部材７を１８０度反対側すなわち支柱６の後ろ側に変位させた場合は、足踏みペダル３を踏む人と手指を消毒する人が異なるような使い方をしてもよい。
【００３５】  また、上記実施形態において、付勢機構４ｂを複数のナットやワッシャで構成して支柱６内に内蔵した例を示したが、足踏みペダル３の下部に板バネやコイルバネ等の弾性部材を設けて構成してもよい。また、棒状部材４ａは、全ネジボルトに替えて部分ネジボルトやワイヤーロープを用いてもよい。
【符号の説明】
【００３６】  １      ボトル受け皿
２      押圧部材
２ａ    押さえ金具
２ｂ    押圧部
２ｃ    調整ネジ
３      足踏みペダル
３ａ    連結部材
３ｂ    作動プレート
４      操作伝達部材
４ａ    棒状部材
４ｂ    付勢機構
４１    上部固定ナット
４２    上部ワッシャ
４３    下部ワッシャ
４４    下部固定ナット
４５    コイルバネ
５      基台
６      支柱
６ａ    第１の支柱
６ｂ    第２の支柱
６ｃ    ソケット
７      支持部材
７ａ    取付け金具
８      永久磁石
Ｂ      薬剤噴射ボトル
Ｄ      本装置
Ｇ      地面
Ｓ      踏み代
【図１】
0003230172.tif 000003
【図２】
0003230172.tif 000004
【図３】
0003230172.tif 000005
【図４】
0003230172.tif 000006
【図５】
0003230172.tif 000007
【手続補正書】
【提出日】令和2年10月29日(2020.10.29)
【手続補正１】
【補正対象書類名】実用新案登録請求の範囲
【補正対象項目名】請求項４
【補正方法】変更
【補正の内容】
【請求項４】
前記基台、前記支柱、前記支持部材、前記ボトル受け皿および前記足踏みペダルのうち、１つ以上の部材が銅材からなることを特徴とする請求項２に記載の足踏み式消毒薬噴出装置。